(57)【特許請求の範囲】
【請求項１】
紙、フィルムおよびこれらの積層シート等により構成し、袋の開口部を覆い密封をするテープであって、該テープの少なくとも一面に、熱可塑性接着性樹脂からなる補強用線条を設け、該補強用線条の間に糊からなる補強用線条を介在させたことを特徴とする袋の封止テープ。
【請求項２】
前記熱可塑性接着性樹脂からなる補強用線条と、糊からなる補強用線条が２ｍｍないし３ｍｍ間隔に形成されてなる請求項１記載の袋の封止テープ。
【請求項３】
前記テープが複数のテープで構成され、それぞれのテープに前記２種類の補強用線条が形成されている請求項１または２記載の袋の封止テープ。
【発明の詳細な説明】
【０００１】
【発明の属する技術分野】
本発明は、主にペットフード、魚類養殖用などの飼料、砂糖、化成品原料などの粉粒体の包装に使用される袋の開口部を密封する封止テープに関するものであって、より詳しくは、袋の開口部を密封するテープに補強用線条を設けて、強度が高いのに柔軟性があり、取扱い易い封止テープに関する。
【０００２】
【従来の技術】
従来からペットフード、魚類養殖用などの飼料、砂糖、化成品原料などの粉粒体の包装用として、紙を基本素材とし、用途に応じてプラスチックを複合させて防湿性などに優れかつ必要な強度を持った積層した袋が、種々開発され広く流通している。これらの袋は、その時代の要請に合わせて色々と改良されてきた。例えば、ペットフードや魚類養殖用飼料の包装用の袋としては、紙にプラスチックフィルムを積層した積層シートを胴貼りして筒状体にし、その開口部を閉じて袋状にしたものがあったが、胴貼りの強度を充分にするため、ミシン縫いにしたり、必要以上に貼りしろを多く取ったりしていた。そして、その開口部をミシン縫いにより閉じるものもあったが、開封する際ミシン縫いした糸の切れ屑がペットフードや魚類養殖用飼料に混入するために、その改良が望まれている。
【０００３】
このため、開口部をミシン縫いにより閉じない従来の袋の開封構造としては、実開昭６４−２０４５１号公報、米国特許第２，９２３，４５７号明細書に開示されたものが知られている。これらには、図１３に示すように、積層袋ａの筒状体ｂの一方の開口部ｃを封止テープｄにて覆って接着し、開口部ｃに沿って封止テープｄに開封用のカットテープｅを装着した積層袋が開示されている。そのカットテープｅが装着されている封止テープｄに切り込みｆ、ｆが入り、剥がし片ｇとし、この剥がし片ｇを引っ張ることにより、開口部ｃを閉じている封止テープｄがその開口部ｃに沿って引き裂かれるから、鋏などの器具を使用することなく、上記積層袋ａを開封することができるものである。
【０００４】
ところが、筒状体ｂの開口部ｃを密封するため、図１４に示すように、開口部ｃを２回折りにして、その上から封止テープｄで覆い密封したり、また、図１５に示すように、内容物の性状により紙ｈおよびプラスチックフィルムｉ等を積層して封止テープｄを構成しなければならないもある。いずれにしても、封止テープｄ自体の強度上から、あるいは積層袋ａに収納する内容物の種類などの理由から、封止テープｄは厚くなりがちである。
【０００５】
【発明が解決しようとする課題】
しかしながら、従来の積層袋ａの開口部ｃを覆い密封する封止テープｄは、紙ｈおよびプラスチックフィルムｉ等を単に接着性樹脂などにより全面に貼り付け積層して構成しているために、厚くしかも仕上がり状態が固くなりがちである。この状態の封止テープｄを使用して積層袋ａの開口部ｃを覆い密封すると、封止テープｄの折り目などから曲率の関係でクラックｊが生じて、そこに応力が集中して封止テープｄが破れてしまう問題がある。また、封止テープｄが固いため、ユーザーが積層袋ａの開口部ｃから内容物を収納した後、開口部ｃを密封する作業がやりずらかったり、作業者の手指を傷つけたりする事態を引き起こすことも懸念される。
【０００６】
また、手際よく剥がし片ｇを手指で摘まみ引っ張ることが出来ても、封止テープｄが固いため力の加減により、開封用のカットテープｅが途中でちぎれてしまうようなこともあり、この場合にはカットテープｅは１本であるため、後の部分のオーバーテープｄを上手く積層袋ａの開口部ｃに沿って引き裂くことが出来ず、積層袋ａの開封が上手く行かないことになる。
【０００７】
そこで、本発明の目的は、強度や内容物の性状から各種の紙、フィルム等を積層して構成して厚くなっても柔軟性を失わず、かつ１５０℃程度の温度でも封止状態が損なわれない、強度や内容物の性状の要求に充分応え得ることが出来る封止テープを提供することにある。
【０００８】
【課題を解決するための手段】
本発明の封止テープは、上記課題を解決するために提案されたものであって、下記の構成からなることを特徴とするものである。
すなわち、本発明によれば、紙、フィルムおよびこれらの積層シート等により構成し、袋の開口部を覆い密封をするテープであって、該テープの少なくとも一面に、熱可塑性接着性樹脂からなる補強用線条を設け、該補強用線条の間に糊からなる補強用線条を介在させたことを特徴とする袋の封止テープが提供される。
この発明によれば、熱可塑性接着性樹脂からなる補強用線条を設け、該補強用線条の間に糊からなる補強用線条を併設することにより、熱可塑性接着性樹脂からなる補強用線条が７０ないし８０℃で軟化しても、糊からなる補強用線条は軟化することなく、接着強度に優れたものとなり、かつ、補強用線条がテープの全面に設けられていないから、テープ自身の有する柔軟性を保持しているという特徴がある。
【０００９】
また、本発明によれば、前記熱可塑性接着性樹脂からなる補強用線条と、糊からなる補強用線条が２ｍｍないし３ｍｍ間隔に形成されてなる上記袋の封止テープが提供される。
【００１０】
また、本発明によれば、前記テープが複数のテープで構成され、それぞれのテープに前記２種類の補強用線条が形成されている上記袋の封止テープが提供される。
【００１２】
【発明の実施の形態】
以下、実施の形態をあげて本発明を添付図面に基づいて詳述する。
図１は本発明の実施形態を示す封止テープを積層袋に適用した状態の斜視図、図２は積層袋に使用する積層シートを示す断面図、図３は図１のＡ−Ａ線に沿う断面図、図４は本発明の実施形態の封止テープを示す一部を切り欠いた斜視図、図５は本発明の実施形態の封止テープを示す一部を切り欠いた平面図、図６は本発明の実施形態の封止テープを示す一部を切り欠いた側面図である。図において、１は封止テープが適用される積層袋（袋）を示し、この積層袋１は、紙２にプラスチックフィルム３を積層させる際、紙２の一側端部２ａをプラスチックフィルム３の一側端部３ａより延出させて紙貼合部４とし、紙２の他側端部２ｂよりプラスチックフィルム３の他側端部３ｂを延出させてプラスチック貼合部５として積層シート６を構成し、積層シート６を紙２を内側にして胴貼りして筒状体７にする際、紙２の紙貼合部４および他側端部２ｂを貼り合わせると共にプラスチックフィルム３のフィルム貼合部５および一側端部３ａを貼り合わせてなる。
【００１３】
紙２は、矩形であり、クラフト紙、クルパック紙、耐油紙、耐水紙などが使用されが、形状、材質共に特に限定はない。プラスチックフィルム３も、矩形であり、ポリオレフィン系のものが好ましく使用されるが、これも形状、材質共に特に限定はない。そして、紙２およびプラスチックフィルム３は積層されて、積層シート６を構成する。この積層シート６は、図２に示すように、合同形状の紙２およびプラスチックフィルム３を長さＬだけずらして積層すれば、プラスチックフィルム３の一側端部３ａより長さＬだけ延出した紙２のみの紙貼合部４が出来、紙２の他側端部２ｂより長さＬだけ延出したプラスチックフィルム３のみのプラスチック貼合部５ができることになる。したがって、積層シート６を筒状体７にする際、胴貼りに必要な貼りしろは最小となる。
【００１４】
この積層シート６は、その両側端部を紙２を内側にして胴貼りして筒状体７にするが、その際筒状体７を折り畳んだ状態の両側端部をＶ字状に内側に折り込んでガセット１０、１０を形成する。この胴貼りの構成は、図３に示す通りである。すなわち、紙２の紙貼合部４および他側端部２ｂの紙同士を貼り合わせるが、それに適したエマルジョン系接着剤１１を選択して行い、プラスチックフィルム３のプラスチック貼合部５および一側端部３ａのプラスチックフィルム同士の貼り合わせには、それに適した溶融樹脂１２を選択して行う。従って、プラスチックフィルム３の剪断強度および剥離強度により、紙２同士の貼り合わせによる剥離強度の過少な点を補助して、必要とする胴貼り強度を得ることが出来る。
【００１５】
そして、このプラスチックフィルム３のプラスチック貼合部５と一側端部３ａとを貼り合わせる際、外側になるプラスチック貼合部５の外側に位置する他側端部３ｂを余剰部分となるように貼り合わせる。この余剰部分の他側端部３ｂにより、紙２の端部が裸出することが完全に無くなり、プラスチックフィルム３の端部も貼合部分により支持されていないから、フィルム部分は柔らかくこれで手指を傷つけるようなことはない。
【００１６】
胴貼りを終了した筒状体７は、図４に示すように、その一端の開口部１３が一回折り曲げで閉塞され、その上から本発明の封止テープ２０が取り付けられる。この封止テープ２０は、紙、フィルムおよびこれらの積層シート等のテープ２１により構成した上記の積層袋１の開口部１３に、これを覆い封をするものであり、図５、６に示すように、テープ２１の少なくとも一面２１ａに、熱可塑性接着性樹脂からなる補強用線条を設け、該補強用線条の間に糊からなる補強用線条を介在させ、これらの補強用線条２２を２ｍｍないし３ｍｍ間隔で設けられていることが好ましい。この補強用線条２２の巾は約１ｍｍ程度である。
【００１７】
すなわち、この封止テープ２０は、そのテープ２１として、特に限定がなく、通常多くの場合は紙であり、クラフト紙、耐油紙、耐水紙など目的に応じたものが使用される。あるいはプラスチックフィルムを使用しても良い。稀には金属フィルム、積層シートも使用されることがある。なお、積層シートを使用する場合は薄手で充分柔軟性のあるもののみが使用される。
【００１８】
補強用線条２２として用いられる熱可塑性接着性樹脂としては、ポリエチレン、ＥＶＡ（エチレン−酢酸ビニル共重合体）等が使用される。また、もう一方の補強用線条として用いられる糊とは、澱粉糊に代表される澱粉質から製せられた糊をいい、上記熱可塑性接着性樹脂とは区別されるものである。
補強用線条２２として使用される澱粉のりなどの糊は、１００℃でも充分耐久性があり、ギャランティーでき、最大１５０℃まで耐えられる。２００℃になると、積層袋１あるいは封止テープ２０に使用されている紙が焦げるし、プラスチックフィルムも軟化して強度がなくなるから、従って、澱粉のりを使用すれば温度に関して問題がなくなり、製造時の製品温度について考慮する必要性が著しく低下する。これに対して、もう一方の補強用線条２２として用いられるポリエチレン、ＥＶＡ等は、１３０℃で軟化点に達するから、８０℃程度までしか耐えられず、ギャランティーできるのは６０℃程度になってしまう。
【００１９】
上記のように構成された封止テープ２０は、一回折り曲げで閉塞された開口部１３を、筒状体７の横方向より長い状態のもので包囲しかつ筒状体７の両側端より延出させて接着剤により貼りつけられ、袋状とされている（図１参照）。この貼り付けの際、テープ２１上の補強用線条２２が熱可塑性接着性樹脂と澱粉糊との併設状態で貼り付けることにより、熱により７０℃ないし８０℃になり熱可塑性接着性樹脂の補強用線条２２が軟化しても、補強用線条２２間の澱粉糊により封止テープ２０は積層袋１の開口部１３から剥がれることがなく、接着性に優れた封止テープとなる。
【００２０】
そして、封止テープ２０は、図４に示すように、その両側の延出端部２６、２６が筒状体７の折り目７ａ、７ａまでしか接着剤により貼り付けられていないから、この積層袋１は物を入れた際、その物の自重によりガセット１０が広がり易くなって、物が多く入ることになる。
【００２１】
そして、この封止テープ２０には、開口部１３に沿ってカットテープ２３が接着剤により貼りつけられ、更に、カットテープ２３を中心にして、両側に切り込み２４、２４が入り、剥がし片２５となっている。この剥がし片２５を掴み引き裂いていけば、カットテープ２３により封止テープ２０を開口部１３に沿って切り裂くことになり、この積層袋１は開口部１３全体が容易に開封される。
【００２２】
また、胴貼りを終了した筒状体７は、図７に示すように、その一端の開口部１３が２回折り曲げで閉塞され、その上から本発明の封止テープ２０が取り付けられても良いし、図８に示すように、その一端の開口部１３が折り曲げ無しで閉塞され、その上から本発明の封止テープ２０が取り付けられても良い。
【００２３】
前記開口部１３が閉塞され袋状とされた筒状体７は、物が入れられた後、図９に示すように、その他端の開口部２７が一回折り曲げで閉塞され、筒状体７の横方向より長い前記封止テープと同構成の封止テープ２８にて包囲されかつ筒状体７の両側端より延出させた状態で接着剤により貼りつけられて密封され（図１参照）、この積層袋１は出荷されることになる。なお、出荷の際、積層袋１は封止テープ２０および２８の延出端部２６および２９により持つことが出来るから、極めて移動させ易い。
【００２４】
次に上記構成になる積層袋１に装着された封止テープ２０の使用方法を説明する。
上述のように既に一方の開口部１３が封止テープ２０により封止されている積層袋１を用意し、他方の開口部２７を開いて、包装用のペットフード、砂糖、化成品原料などの粉粒体を入れると、開口部１３は折り曲げ無しや１回折り曲げで閉塞されているから物が多く入り、かつ封止テープ２０の延出端部２６が筒状体７の折り目７ａまでしか接着剤により貼り付けられていないから、入れた物の自重によりガセット１０が広がり物が多く入る。開口部２７をユーザーにより任意の方法で封止し出荷体制に入り、延出端部２６、２９を持って移動させる。
【００２５】
そして、積層袋１の取扱時フィルム貼合部５の余剰部分となるプラスチックフィルム３の他側端部３ｂは柔らかいから、ユーザーおよび最終消費者が指先を切ることがなく、封止テープ２０の端部にある剥がし片２５を持ち引っ張れば、カットテープ２３により封止テープ２０を開口部１３に沿って切り裂くことになり（図１０参照）、この積層袋１は開口部１３全体が容易に開封され、中身を利用出来る。
【００２６】
図１１、１２は本発明の他の実施形態を示し、この封止テープ２０ａと図１ないし１０の実施形態との相違点は、複数のテープ２１を２種類の併設された補強用線条２２を接着媒体として貼り合わせた点にある。この実施例では２枚のテープ２１を１の補強用線条２２を接着媒体として貼り合わせているが、２枚以上であっても差し支えない。複数のテープ２１間が補強用線条２２により接着しているため、その間が空いているから、固くなることが無く柔軟性を保持し、曲率の差によるクラックも生じない。その他の構成、作用は図１ないし１０に示す実施例と同様なので、図面に符号を付してその説明を省略する。
【００２７】
以上、本発明の実施形態を図面に基づき説明したが、発明の技術思想を超えない限りにおいて具体的な構成はこれに限定されるものではない。
【００２８】
【発明の効果】
以上詳述したように、本発明によれば、テープの少なくとも一面に設けた補強用線条により、強度面をカバーすると共に、２種類の併設された補強用線条がテープの全面に設けられていないために、テープ自身の有する柔軟性を保持している。従って、テープを厚くしたり、複数貼り合わせなくても、テープを補強用線条により強度面をカバー出来、かつ柔軟性を失わずかつ強度面での要求に充分応え得ることが出来る効果がある。
また、本発明の他の実施形態の封止テープは、複数のテープをこれに設けた２種類の併設された補強用線条を接着媒体として貼り合わせているから、補強用線条により強度面をカバーできることはもちろんのこと、内容物の性状に対応出来、かつ補強用線条はテープの全面に設けられていないから、テープ自身の有する柔軟性を保持できる。従って、上記の発明の効果に加えて、内容物の複雑な性状にも対応出来る効果がある。
【図面の簡単な説明】
【図１】本発明の実施形態を示す封止テープを積層袋に適用した状態の斜視図である。
【図２】積層袋に使用する積層シートを示す断面図である。
【図３】図１のＡ−Ａ線に沿う断面図である。
【図４】本発明の実施形態の封止テープを示す一部切欠斜視図である。
【図５】本発明の実施形態の封止テープを示す一部切欠平面図である。
【図６】本発明の実施形態の封止テープを示す一部切欠側面図である。
【図７】本発明の実施形態の封止テープの使用状態を示す一部切欠断面図である。
【図８】本発明の実施形態の封止テープの使用状態を示す一部切欠断面図である。
【図９】本発明の実施形態の封止テープを示す一部を切欠斜視図である。
【図１０】本発明の実施形態の封止テープの使用状態を示す一部切欠斜視図である。
【図１１】本発明の他の実施形態を示す封止テープの製作状態の斜視図である。
【図１２】本発明の他の実施形態を示す封止テープの側面図である。
【図１３】従来例を示す斜視図である。
【図１４】従来例を示す断面図である。
【図１５】従来例を示す斜視図である。
【符号の説明】
１，ａ            積層袋（袋）
２，ｈ            紙
２ａ，３ａ        一側端部
２ｂ，３ｂ        他側端部
３，ｉ            プラスチックフィルム
４                紙貼合部
５                プラスチック貼合部
６                積層シート
７，ｂ            筒状体
７ａ              折り目
１０              ガセット
１１              エマルジョン系接着剤
１２              溶融樹脂
１３，２７，ｃ    開口部
２０，２０ａ      封止テープ
２８，ｄ          封止テープ
２１              テープ
２１ａ            一面
２２              補強用線条
２３，ｅ          カットテープ
２４，ｆ          切り込み
２５，ｇ          剥がし片
２６，２９        延出端部
ｊ                クラック
【図１】
0003779518.tif 000002
【図２】
0003779518.tif 000003
【図３】
0003779518.tif 000004
【図４】
0003779518.tif 000005
【図５】
0003779518.tif 000006
【図６】
0003779518.tif 000007
【図７】
0003779518.tif 000008
【図８】
0003779518.tif 000009
【図９】
0003779518.tif 000010
【図１０】
0003779518.tif 000011
【図１１】
0003779518.tif 000012
【図１２】
0003779518.tif 000013
【図１３】
0003779518.tif 000014
【図１４】
0003779518.tif 000015
【図１５】
0003779518.tif 000016